【手続補正書】
【提出日】平成19年2月9日(2007.2.9)
【手続補正１】
【補正対象書類名】明細書
【補正対象項目名】特許請求の範囲
【補正方法】変更
【補正の内容】
【特許請求の範囲】
【請求項１】
着色剤とベヒクルとから成るインクジェットプリント用のインクジェットインクであって、不飽和両性イオン界面活性剤類、不飽和脂肪酸類及び不飽和カチオン界面活性剤類から成る群から選択される不飽和界面活性剤から誘導された少なくとも１つのポリマーから成る高分子添加剤をさらに含み、前記不飽和界面活性剤が、少なくとも１つの炭素−炭素二重結合を有する、インクジェットインク。
【請求項２】
前記不飽和両性イオン界面活性剤が、不飽和アミンオキシド類、不飽和ベタイン類及び不飽和ベタインスルホン酸塩類から成る群から選択される、請求項１に記載のインクジェットインク。
【請求項３】
前記不飽和アミンオキシドが、式
【化１】
2000239581.tif 000001
［式中、Ｒ及びＲ’は、独立して１〜２０個の炭素原子を有するアルキル鎖であり、ｎは、１〜２０の整数である］で表される、請求項２に記載のインクジェットインク。
【請求項４】
前記不飽和アミンオキシドが、Ｎ，Ｎ−ジメチル−Ｎ−（ｚ−９−オクタデセニル）−Ｎ−アミンオキシド、Ｎ，Ｎ−ジメチル−Ｎ−ヘキサデセニル−Ｎ−アミンオキシド、Ｎ，Ｎ−ジメチル−Ｎ−テトラデセニル−Ｎ−アミンオキシド、Ｎ，Ｎ−ジメチル−Ｎ−ドデセニル−Ｎ−アミンオキシド及びＮ，Ｎ−ジメチル−Ｎ−デセニル−Ｎ−アミンオキシドから成る群から選択される、請求項３に記載のインクジェットインク。
【請求項５】
前記不飽和ベタインが、式
【化２】
2000239581.tif 000002
［式中、Ｒ及びＲ’は、独立して１〜２０個の炭素原子を有するアルキル鎖、ｎは、１〜２０の整数、ｍは、１〜２０の整数である］
で表される、請求項２に記載のインクジェットインク。
【請求項６】
前記不飽和ベタインが、Ｎ，Ｎ−ジメチル−Ｎ−（４−ｚ−ドデセニル）−Ｎ−アンモニオエタンカルボン酸塩、Ｎ，Ｎ−ジメチル−Ｎ−テトラデセニル−Ｎ−アンモニオエタンカルボン酸塩、Ｎ，Ｎ−ジメチル−Ｎ−ヘキサデセニル−Ｎ−アンモニオエタンカルボン酸塩、Ｎ，Ｎ−ジメチル−Ｎ−オクタデセニル−Ｎ−アンモニオエタンカルボン酸塩及びＮ，Ｎ−ジメチル−Ｎ−デセニル−Ｎ−アンモニオエタンカルボン酸塩から成る群から選択される、請求項５に記載のインクジェットインク。
【請求項７】
前記不飽和ベタインスルホン酸塩が、式
【化３】
2000239581.tif 000003
［式中、Ｒ及びＲ’は、独立して１〜２０個の炭素原子を有するアルキル鎖、ｎは、１〜２０の整数、ｍは、１〜２０の整数である］
で表される、請求項２に記載のインクジェットインク。
【請求項８】
前記不飽和ベタインスルホン酸塩が、Ｎ，Ｎ−ジメチル−Ｎ−（４−ｚ−ドデセニル）−Ｎ−アンモニオプロパンスルホン酸塩、Ｎ，Ｎ−ジメチル−Ｎ−テトラデセニル−Ｎ−アンモニオプロパンスルホン酸塩、Ｎ，Ｎ−ジメチル−Ｎ−ヘキサデセニル−Ｎ−アンモニオプロパンスルホン酸塩、Ｎ，Ｎ−ジメチル−Ｎ−オクタデセニル−Ｎ−アンモニオプロパンスルホン酸塩及びＮ，Ｎ−ジメチル−Ｎ−デセニル−Ｎ−アンモニオプロパンスルホン酸塩から成る群から選択される、請求項７に記載のインクジェットインク。
【請求項９】
前記不飽和脂肪酸が、式
【化４】
2000239581.tif 000004
［式中、Ｒ及びＲ’は、独立して１〜２０個の炭素原子を有するアルキル鎖であり、ｎは、１〜２０の整数である］
に表される、請求項１に記載のインクジェットインク。
【請求項１０】
前記不飽和脂肪酸が、パルミトレイン酸塩、オレイン酸塩、リノール酸塩、リノレン酸塩、リシネライジン酸塩及びリシノール酸塩から成る群から選択される、請求項９に記載のインクジェットインク。
【請求項１１】
前記不飽和カチオン界面活性剤が、式
【化５】
2000239581.tif 000005
［式中、Ｒ及びＲ’は、独立して１〜２０個の炭素原子を有するアルキル鎖、ｎは、１〜２０の整数、Ｘは、Ｃｌ−、Ｂｒ−、Ｉ−、トシレート、リン酸塩、硫酸塩、又はメシレートから成る群から選択される対イオンである］
で表される、請求項１に記載のインクジェットインク。
【請求項１２】
前記不飽和カチオン界面活性剤が、Ｎ，Ｎ，Ｎ−トリメチル−Ｎ−（ｚ−オクタデセニル）アンモニウムクロリド、Ｎ，Ｎ，Ｎ−トリメチル−Ｎ−ヘキサデセニルアンモニウムクロリド、Ｎ，Ｎ，Ｎ−トリメチル−Ｎ−テトラデセニルアンモニウムクロリド、Ｎ，Ｎ，Ｎ−トリメチル−Ｎ−ドデセニルアンモニウムクロリド及びＮ，Ｎ，Ｎ−トリメチル−Ｎ−デセニルアンモニウムクロリドから成る群から選択される、請求項１１に記載のインクジェット。
【請求項１３】
前記高分子添加剤が、前記インクジェットインクの約０．２５〜１５重量％の範囲内の濃度で前記インク中に存在する、請求項１に記載のインクジェットインク。
【請求項１４】
前記濃度が、前記インクジェットインクの約０．５〜８重量％の範囲内である、請求項１３に記載のインクジェットインク。
【請求項１５】
前記高分子添加剤が、該高分子添加剤の０〜約９９重量％の量で、少なくとも１つのビニルモノマーをさらに含有する、請求項１に記載のインクジェットインク。
【請求項１６】
前記少なくとも１つのビニルモノマーが、アクリル酸塩類、メタクリル酸塩類及びビニルエーテル類から成る群から選択される、請求項１５に記載のインクジェットインク。
【請求項１７】
着色剤と媒質とから成るインクジェットインクの水堅牢性、汚れ耐性及びにじみ制御性を改善する方法であって、不飽和両性イオン界面活性剤類、不飽和脂肪酸類及び不飽和カチオン界面活性剤類から成る群から選択される不飽和界面活性剤から誘導された少なくとも１つのポリマーから成る高分子添加剤の有効量を、当該インクジェットインクに添加するステップを含み、前記の不飽和界面活性剤が、少なくとも１つの炭素−炭素二重結合を有する、方法。
【請求項１８】
前記両性イオン界面活性剤が、不飽和アミンオキシド類、不飽和ベタイン類及び不飽和ベタインスルホン酸塩類から成る群から選択される、請求項１７に記載の方法。
【請求項１９】
前記不飽和アミンオキシドが、式
【化６】
2000239581.tif 000006
［式中、Ｒ及びＲ’は、独立して１〜２０個の炭素原子を有するアルキル鎖であり、ｎは、１〜２０の整数である］
で表される、請求項１８に記載の方法。
【請求項２０】
前記不飽和アミンオキシドが、Ｎ，Ｎ−ジメチル−Ｎ−（ｚ−９−オクタデセニル）−Ｎ−アミンオキシド、Ｎ，Ｎ−ジメチル−Ｎ−ヘキサデセニル−Ｎ−アミンオキシド、Ｎ，Ｎ−ジメチル−Ｎ−テトラデセニル−Ｎ−アミンオキシド、Ｎ，Ｎ−ジメチル−Ｎ−ドデセニル−Ｎ−アミンオキシド及びＮ，Ｎ−ジメチル−Ｎ−デセニル−Ｎ−アミンオキシドから成る群から選択される、請求項１９に記載のインクジェットインク。
【請求項２１】
前記不飽和ベタインが、式
【化７】
2000239581.tif 000007
［式中、Ｒ及びＲ’は、独立して１〜２０個の炭素原子を有するアルキル鎖、ｎは、１〜２０の整数、ｍは、１〜２０の整数である］
で表される、請求項１８に記載の方法。
【請求項２２】
前記不飽和ベタインが、Ｎ，Ｎ−ジメチル−Ｎ−（４−ｚ−ドデセニル）−Ｎ−アンモニオエタンカルボン酸塩、Ｎ，Ｎ−ジメチル−Ｎ−テトラデセニル−Ｎ−アンモニオエタンカルボン酸塩、Ｎ，Ｎ−ジメチル−Ｎ−ヘキサデセニル−Ｎ−アンモニオエタンカルボン酸塩、Ｎ，Ｎ−ジメチル−Ｎ−オクタデセニル−Ｎ−アンモニオエタンカルボン酸塩及びＮ，Ｎ−ジメチル−Ｎ−デセニル−Ｎ−アンモニオエタンカルボン酸塩から成る群から選択される、請求項２１に記載のインクジェットインク。
【請求項２３】
前記不飽和ベタインスルホン酸塩が、式
【化８】
2000239581.tif 000008
［式中、Ｒ及びＲ’は、独立して１〜２０個の炭素原子を有するアルキル鎖、ｎは、１〜２０の整数、ｍは、１〜２０の整数である］
で表される、請求項１８に記載の方法。
【請求項２４】
前記不飽和ベタインスルホン酸塩が、Ｎ，Ｎ−ジメチル−Ｎ−（４−ｚ−ドデセニル）−Ｎ−アンモニオプロパンスルホン酸塩、Ｎ，Ｎ−ジメチル−Ｎ−テトラデセニル−Ｎ−アンモニオプロパンスルホン酸塩、Ｎ，Ｎ−ジメチル−Ｎ−ヘキサデセニル−Ｎ−アンモニオプロパンスルホン酸塩、Ｎ，Ｎ−ジメチル−Ｎ−オクタデセニル−Ｎ−アンモニオプロパンスルホン酸塩及びＮ，Ｎ−ジメチル−Ｎ−デセニル−Ｎ−アンモニオプロパンスルホン酸塩から成る群から選択される、請求項２２に記載のインクジェットインク。
【請求項２５】
前記不飽和脂肪酸が、式
【化９】
2000239581.tif 000009
［式中、Ｒ及びＲ’は、独立して１〜２０個の炭素原子を有するアルキル鎖であり、ｎは、１〜２０の整数である］
で表される、請求項１７に記載の方法。
【請求項２６】
前記不飽和脂肪酸が、パルミトレイン酸塩、オレイン酸塩、リノール酸塩、リノレン酸塩、リシネライジン酸塩及びリシノール酸塩から成る群から選択される、請求項２５に記載のインクジェットインク。
【請求項２７】
前記不飽和カチオン界面活性剤が、式
【化１０】
2000239581.tif 000010
［式中、Ｒ及びＲ’は、独立して１〜２０個の炭素原子を有するアルキル鎖、ｎは、１〜２０の整数、Ｘは、Ｃｌ−、Ｂｒ−、Ｉ−、トシレート、リン酸塩、硫酸塩、又はメシレートから成る群から選択される対イオンである］
で表される、請求項１７に記載の方法。
【請求項２８】
前記不飽和カチオン界面活性剤が、Ｎ，Ｎ，Ｎ−トリメチル−Ｎ−（ｚ−オクタデセニル）アンモニウムクロリド、Ｎ，Ｎ，Ｎ−トリメチル−Ｎ−ヘキサデセニルアンモニウムクロリド、Ｎ，Ｎ，Ｎ−トリメチル−Ｎ−テトラデセニルアンモニウムクロリド、Ｎ，Ｎ，Ｎ−トリメチル−Ｎ−ドデセニルアンモニウムクロリド及びＮ，Ｎ，Ｎ−トリメチル−Ｎ−デセニルアンモニウムクロリドから成る群から選択される、請求項２７に記載のインクジェット。
【請求項２９】
前記高分子添加物が、前記インクジェットインクの約０．２５〜１５重量％の範囲内の濃度で前記インク中に存在する、請求項１７に記載の方法。
【請求項３０】
前記濃度が、前記インクジェットインクの約０．５〜８重量％の範囲内である、請求項２９に記載の方法。
【請求項３１】
前記高分子添加剤が、該高分子添加剤の０〜約９９重量％の量で、少なくとも１つのビニルモノマーをさらに含有する、請求項１７に記載の方法。
【請求項３２】
前記少なくとも１つのビニルモノマーが、アクリル酸塩類、メタクリル酸塩類及びビニルエーテル類から成る群から選択される、請求項３１に記載の方法。
【請求項３３】
前記高分子添加剤が、前記不飽和界面活性剤のモノマーのフリーラジカル重合によって形成される、請求項１７に記載の方法。
【請求項３４】
前記重合が、ペルオキソ硫酸塩のナトリウム、カリウム及びアンモニウム塩並びにアゾ化合物から成る群から選択される開始剤の存在で行われる、請求項３３に記載の方法。
【請求項３５】
前記開始剤を、前記モノマーの溶液の約０．０１〜１．５重量％の範囲内の量で添加する、請求項３４に記載の方法。